(57)【特許請求の範囲】
【請求項１】
導体挿入口を有し有底筒状に形成される導体固定部を有するスリーブと、該スリーブを組み付けるプーリングアイ本体と、を備える電力ケーブル用プーリングアイにおいて、
前記導体固定部の内部に前記導体挿入口よりも大きな内径となる大径部を形成するとともに該大径部と前記導体挿入口との間に段差部を形成し、
前記導体固定部の側部には前記大径部に達するネジ穴を一又は複数形成し、
該ネジ穴には、前記導体挿入口を介して前記大径部に挿入されたケーブル導体を締め付け押圧するボルトを組み付け、
前記ネジ穴を前記段差部の近傍に配置形成する
ことを特徴とする電力ケーブル用プーリングアイ。
【請求項２】
請求項１に記載の電力ケーブル用プーリングアイにおいて、
前記ネジ穴を１８０゜方向に二カ所形成する
ことを特徴とする電力ケーブル用プーリングアイ。
【発明の詳細な説明】
【技術分野】
【０００１】
本発明は、電力ケーブルに対する牽引端末としての電力ケーブル用プーリングアイに関する。
【背景技術】
【０００２】
従来のケーブル牽引端末としてのプーリングアイは、金属製のスリーブと、このスリーブを保持するプーリングアイ本体とを備えて構成されている（例えば下記特許文献１参照）。スリーブは、有底筒状に形成される導体固定部と、プーリングアイ本体に保持される部分としての保持部とを有している。導体固定部の底の反対側には、導体挿入口が形成されている。導体固定部は、導体挿入口の開口状態が上記底まで真っ直ぐに続くような形状に形成されている。導体固定部は、圧縮処理を施す部分として形成されている。
【０００３】
上記構成において、ケーブル導体をケーブルシースから所定量突出させてなる電力ケーブルを準備し、この後に電力ケーブルのケーブル導体をスリーブの導体固定部に差し込み、導体固定部に圧縮処理を施して圧縮をすると、ケーブル導体に対するスリーブの固定が完了する。そして、スリーブをプーリングアイ本体に組み付けると、プーリングアイの一連の組み付けが完了する。
【０００４】
プーリングアイを用いると、例えば地中配線用管路内への電力ケーブルの引き込みや、マンション、ビルディング等の高層の建物への電力ケーブルの布設が容易に行えるようになるという利点を有している。
【特許文献１】特開２００１−２１８３５１号公報
【発明の開示】
【発明が解決しようとする課題】
【０００５】
ところで、上記従来技術にあっては、導体固定部に圧縮処理を施してスリーブとケーブル導体との固定を行うことから、プーリングアイの組み付けに大型の油圧圧縮工具が必要になり、作業に熟練を要するという問題点や、多くの作業工数が掛かってしまうという問題点を有いている。
【０００６】
また、上記従来技術にあっては、導体固定部に圧縮処理を施すことから、スリーブの再使用ができないという問題点も有している。
【０００７】
本発明は、上記した事情に鑑みてなされたもので、スリーブの組み付けに熟練を必要とせず容易な作業となり、さらにはスリーブの再使用が可能な電力ケーブル用プーリングアイを提供することを課題とする。
【課題を解決するための手段】
【０００８】
上記課題を解決するためになされた請求項１記載の本発明の電力ケーブル用プーリングアイは、導体挿入口を有し有底筒状に形成される導体固定部を有するスリーブと、該スリーブを組み付けるプーリングアイ本体と、を備える電力ケーブル用プーリングアイにおいて、前記導体固定部の内部に前記導体挿入口よりも大きな内径となる大径部を形成するとともに該大径部と前記導体挿入口との間に段差部を形成し、前記導体固定部の側部には前記大径部に達するネジ穴を一又は複数形成し、該ネジ穴には、前記導体挿入口を介して前記大径部に挿入されたケーブル導体を締め付け押圧するボルトを組み付け、前記ネジ穴を前記段差部の近傍に配置形成することを特徴としている。
【０００９】
このような特徴を有する本発明によれば、導体挿入口を介して電力ケーブルのケーブル導体をスリーブの導体固定部に差し込み、この後にボルトによってケーブル導体を締め付け押圧すると、締め付け押圧によってケーブル導体に潰れが生じ、この状態で固定が完了する。ケーブル導体に潰れが生じると、ケーブル導体は素線が広がるような状態になることから、抜け方向の力が掛かった場合でも段差部に引っ掛かって電力ケーブルの抜けが防止される。本発明によれば、ボルトによる締め付けと段差部による引っ掛かりとにより、スリーブとケーブル導体との固定が行われる。
また、潰れが生じたケーブル導体の近傍に段差部が存在する。抜け方向の力が掛かった場合、ケーブル導体は確実に段差部に引っ掛かる。
【００１２】
請求項２記載の本発明の電力ケーブル用プーリングアイは、請求項１に記載の電力ケーブル用プーリングアイにおいて、前記ネジ穴を１８０゜方向に二カ所形成することを特徴としている。
【００１３】
このような特徴を有する本発明によれば、段差部に引っ掛かり易く且つ一層抜け難い形状にケーブル導体を潰すことが可能になる。
【発明の効果】
【００１４】
請求項１に記載された本発明によれば、プーリングアイの組み付けに従来のような大型の油圧圧縮工具を用いないため、作業が容易になるのは勿論のこと、作業工数も削減することができるという効果を奏する。また、本発明によれば、圧縮処理を施す必要性がないことから、スリーブの再使用をすることができるという効果も奏する。
さらに、本発明によれば、電力ケーブルの抜け防止に寄与することができるという効果を奏する。
【００１５】
請求項２に記載された本発明によれば、電力ケーブルの抜け防止に寄与することができるという効果を奏する。
【発明を実施するための最良の形態】
【００１６】
以下、図面を参照しながら説明する。図１は本発明の電力ケーブル用プーリングアイの一実施の形態を示す図であり、（ａ）電力ケーブル用プーリングアイの構成図、（ｂ）はスリーブの構成図である。
【００１７】
図１において、電力ケーブルに対する牽引端末としての電力ケーブル用プーリングアイ１は、金属製又は合成樹脂製のスリーブ２と、このスリーブ２を一又は複数保持することが可能なプーリングアイ本体３とを備えて構成されている。本発明は、スリーブ２に特徴を有している。
【００１８】
プーリングアイ本体３は、ここでは公知のものが用いられている。プーリングアイ本体３は、スリーブ２を保持する保持部材４と、この保持部材４に一体化するアイナット５と、スリーブ２及び保持部材４を覆うカバー６とを備えて構成されている。カバー６は、ネジ７によって保持部材４に固定されるようになっている。
【００１９】
スリーブ２は、電力ケーブル８のケーブル導体９に固定される部材であって、有底筒状に形成される導体固定部１０と、保持部材４に保持される保持部１１とを有している。また、スリーブ２は、導体固定部１０に螺合する二つのボルト１２を有している（ボルト１２の数は一例であるものとする）。ボルト１２は、ケーブル導体９を締め付け押圧するために設けられている。
【００２０】
導体固定部１０は、導体挿入口１３を有して有底筒状に形成されている。導体挿入口１３は、ケーブル導体９のサイズに合わせて形成されている。導体固定部１０の内部には、導体挿入口１３よりも大きな内径となる大径部１４が形成されている。大径部１４と導体挿入口１３との間には、これらの径の違いによる段差部１５が形成されている。
【００２１】
導体固定部１０の側部１６には、大径部１４に達するネジ穴１７が１８０゜方向に二カ所形成されている（ネジ穴１７の数は一例であるものとする）。ネジ穴１７は、本形態において、段差部１５の近傍に開口するように配置形成されている（一例であるものとする）。ネジ穴１７には、ボルト１２が螺合するようになっている。尚、ボルト１２の頭部が側部１６から突出しないようにしても良いものとする。
【００２２】
ここで、スリーブ２の具体的な一例を挙げると、導体固定部１０とケーブル導体９の外径とのギャップは、直径差で０．２〜０．５ｍｍの設定であるものとする。また、ケーブル導体９のサイズが１５０ｓｑ以上の場合は、Ｍ８のボルトを用い、１００ｓｑ以下の場合はＭ５のボルトを用いるものとする。
【００２３】
上記構成において、導体挿入口１３を介して電力ケーブル８のケーブル導体９をスリーブ２の導体固定部１０に差し込み、この後にボルト１２によってケーブル導体９を締め付け押圧すると、締め付け押圧によってケーブル導体９に潰れが生じ、この状態でスリーブ２の固定が完了する。導体固定部１０の内部では、ケーブル導体９に潰れが生じることから、ケーブル導体９の素線が広がり、仮に抜け方向の力が掛かった場合であっても段差部１５に引っ掛かって電力ケーブル８の抜けが防止される。
【００２４】
スリーブ２の固定が完了した後は、電力ケーブル８とスリーブ２との間に防水処理を施して防水処理部１８を形成し、この防水処理を施したスリーブ２をプーリングアイ本体３に組み付けると、電力ケーブル用プーリングアイ１の一連の組み付けが完了する。
【００２５】
以上、本発明によれば、電力ケーブル用プーリングアイ１の組み付けに従来のような大型の油圧圧縮工具を用いないため、作業が容易になるのは勿論のこと、作業工数も削減することができる。また、本発明によれば、圧縮処理を施す必要性がないことから、スリーブ２の再使用をすることができる。
【００２６】
本発明は本発明の主旨を変えない範囲で種々変更実施可能なことは勿論である。
【図面の簡単な説明】
【００２７】
【図１】本発明の電力ケーブル用プーリングアイの一実施の形態を示す図であり、（ａ）電力ケーブル用プーリングアイの構成図、（ｂ）はスリーブの構成図である。
【符号の説明】
【００２８】
１  電力ケーブル用プーリングアイ
２  スリーブ
３  プーリングアイ本体
４  保持部材
５  アイナット
６  カバー
７  ネジ
８  電力ケーブル
９  ケーブル導体
１０  導体固定部
１１  保持部
１２  ボルト
１３  導体挿入口
１４  大径部
１５  段差部
１６  側部
１７  ネジ穴
１８  防水処理部
【図１】
0005172396.tif 000002